(57)【要約】【課題】  所望のメニュー項目を容易に探し出すことができる携帯端末装置を得る。【解決手段】  ユーザが入力装置１０を用いてキーワードを入力すると、検索装置２０は入力されたキーワードを用いて携帯端末装置のメニュー項目の検索を行う。メニューリスト記憶装置３１は全メニュー項目のリストを記憶しており、検索装置２０はこのリストの中からキーワードを含むメニュー項目を検出する。検索結果は表示装置４０に一覧表示され、検索結果のメニュー項目が選択されると、該メニュー項目に対応する処理が実行される。【選択図】      図１                                                  
2005108056.tif 000002
【特許請求の範囲】
【請求項１】
携帯端末装置のメニュー項目を検索対象として、入力されたキーワードを基に検索を行う検索手段を含むことを特徴とする携帯端末装置。
【請求項２】
前記検索手段の検索結果を表示する表示手段を含み、表示された前記検索結果に含まれるメニュー項目の選択に応答して、この選択されたメニュー項目に対応する処理を実行するようにしたことを特徴とする請求項１記載の携帯端末装置。
【請求項３】
前記表示手段は、前記検索結果に含まれる各メニュー項目を使用頻度の高い順に一覧表示することを特徴とする請求項２記載の携帯端末装置。
【請求項４】
携帯端末装置の情報検索方法であって、前記携帯端末装置のメニュー項目を検索対象として、入力されたキーワードを基に検索を行う検索ステップを含むことを特徴とする情報検索方法。
【請求項５】
前記検索ステップの検索結果を表示する表示ステップを含み、表示された前記検索結果に含まれるメニュー項目の選択に応答して、この選択されたメニュー項目に対応する処理を実行するようにしたことを特徴とする請求項４記載の情報検索方法。
【請求項６】
前記表示ステップは、前記検索結果に含まれる各メニュー項目を使用頻度の高い順に一覧表示することを特徴とする請求項５記載の情報検索方法。
【請求項７】
携帯端末装置の情報検索方法をコンピュータに実行させるためのプログラムであって、前記携帯端末装置のメニュー項目を検索対象として、入力されたキーワードを基に検索を行う検索ステップを含むことを特徴とするプログラム。
【発明の詳細な説明】
【技術分野】
【０００１】
本発明は携帯端末装置、情報検索方法及びプログラムに関し、特に所望のメニュー項目を容易に探し出すことができる携帯端末装置、情報検索方法及びプログラムに関する。
【背景技術】
【０００２】
携帯電話機等の携帯端末装置の機能は多岐にわたっており、多くのメニュー項目が存在するため、ユーザが所望するメニュー項目がメニューの中のどこにあるのかが分かりづらくなっている。
【０００３】
所望のメニューを簡易かつ迅速に検索できることを目的とした技術として、例えば特許文献１に記載の携帯電話機がある。
【０００４】
この携帯電話機では、表示部の表示画面の周囲に各メニューを表示しておき、表示されているメニューが操作手段を用いてユーザにより選択されると、そのメニューに関連したメニューが表示画面の周囲に表示される。
【０００５】
【特許文献１】特開２０００−１１５３１８号公報（第３−５頁、第１図）
【発明の開示】
【発明が解決しようとする課題】
【０００６】
しかしながら、上述のように携帯電話機の機能は多岐にわたっているので、ユーザは所望のメニュー項目がどこに属しているのか分からないことがあり、この場合には、特許文献１に記載の技術でも所望のメニュー項目を迅速に探すことは困難である。
【０００７】
本発明の目的は、所望のメニュー項目を容易に探し出すことができる携帯端末装置、情報検索方法及びプログラムを提供することである。
【課題を解決するための手段】
【０００８】
本発明による携帯端末装置は、携帯端末装置のメニュー項目を検索対象として、入力されたキーワードを基に検索を行う検索手段を含むことを特徴とする。また、前記検索手段の検索結果を表示する表示手段を含み、表示された前記検索結果に含まれるメニュー項目の選択に応答して、この選択されたメニュー項目に対応する処理を実行するようにしたことを特徴とする。
【０００９】
本発明による情報検索方法は、携帯端末装置の情報検索方法であって、前記携帯端末装置のメニュー項目を検索対象として、入力されたキーワードを基に検索を行う検索ステップを含むことを特徴とする。また、前記検索ステップの検索結果を表示する表示ステップを含み、表示された前記検索結果に含まれるメニュー項目の選択に応答して、この選択されたメニュー項目に対応する処理を実行するようにしたことを特徴とする。
【００１０】
本発明によるプログラムは、携帯端末装置の情報検索方法をコンピュータに実行させるためのプログラムであって、前記携帯端末装置のメニュー項目を検索対象として、入力されたキーワードを基に検索を行う検索ステップを含むことを特徴とする。
【００１１】
本発明によれば、入力されたキーワードを用いて携帯端末装置のメニュー項目の検索を行う検索手段を携帯端末装置に設けるようにしている。このように、携帯端末装置のメニュー項目をキーワード検索の対象としているので、ユーザはキーワードを入力するのみで所望のメニュー項目を容易に探し出すことが可能となる。
【発明の効果】
【００１２】
本発明による効果は、所望のメニュー項目を容易に探し出すことができることである。その理由は、携帯端末装置のメニュー項目を検索手段によるキーワード検索の対象としたためである。
【発明を実施するための最良の形態】
【００１３】
以下、本発明の実施例について図面を参照して説明する。
【００１４】
図１は本発明の第１の実施例による携帯端末装置の構成を示す図である。図１において、本発明の第１の実施例による携帯端末装置は、ユーザがメニュー検索のためのキーワードを入力する入力装置１０と、入力されたキーワードからキーワードを含んだメニュー項目を検索する検索装置２０と、メニューリスト記憶装置３１と、検索結果記憶装置３２と、メッセージや検索結果を表示する表示装置４０と、これら各部を制御する制御部５０と、ＲＯＭ６０とを有している。
【００１５】
入力装置１０には、メニュー検索開始／終了を指示するためのメニュー検索ボタン１１が設けられている。メニューリスト記憶装置３１には予め携帯端末装置の全メニュー項目のリストであるメニューリストが記憶されている。検索結果記憶装置３２は検索装置２０の検索結果を記憶する。検索装置２０は、メニューリスト記憶装置３１のメニューリストまたは検索結果記憶装置３２の検索結果の中から、入力されたキーワードを含むメニュー項目の検索を行う。
【００１６】
制御部５０は、ＲＯＭ６０に記憶されているプログラムの動作手順に従って動作して各部の制御を行うものであって、ＣＰＵ（コンピュータ）からなる。以下に説明する本実施例の動作処理手順は、予めプログラムとしてＲＯＭ６０に格納しておくことで、制御可能である。
【００１７】
次に、本発明の第１の実施例による携帯端末装置の動作について図面を参照して説明する。図２及び３は本発明の第１の実施例による携帯端末装置の動作を示すフローチャートである。また、図４（ａ）、図４（ｂ）及び図５（ａ）〜図５（ｃ）はそれぞれ図１の表示装置４０の表示画面例を示す図である。
【００１８】
図２及び３において、まず、メニュー検索ボタン１１が押下されると（ステップＡ１）、表示装置４０に検索のためのキーワード入力画面が表示される（ステップＡ２、図４（ａ）の画面１００）。
【００１９】
ユーザにより入力装置１０からキーワード（文字列）が入力されると（ステップＡ３、図４（ｂ）の画面２００）、入力されたキーワードは検索装置２０に送られ、検索装置２０はキーワードを用いてメニューリストからメニュー項目の検索を行う（ステップＡ４）。すなわち、検索装置２０は、メニューリスト記憶装置３１のメニューリストの全メニュー項目について、キーワードと同じ文字列を含むメニュー項目があるかどうかを検索する。
【００２０】
キーワード検索がメニューリストの最後の項目まで終了すると、その検索結果が検索結果記憶装置３２に保存され（ステップＡ５、ステップＡ６）、表示装置４０に表示される（ステップＡ７、図５（ａ）の画面３００）。なお、検索結果が１件もない場合、すなわちキーワードを含むメニュー項目がないと判断された場合には（ステップＡ５，Ｎｏ）、「該当なし」というようなメッセージが表示装置４０に表示され（ステップＡ１０）、キーワード入力処理に戻る。
【００２１】
メニューのキーワード検索はユーザの任意の回数行えるものとし、メニュー検索ボタン１１を再度押下すると（ステップＡ８，Ｙｅｓ）、ステップＢ２に進みステップＡ１と同様に再びキーワードの入力を要求して検索処理を開始する。ただし、２回目以降の検索では、検索装置２０は、メニューリスト記憶装置３１のメニューリストではなく検索結果記憶装置３２に記憶されている前回の検索結果からキーワード検索を行うものとする。
【００２２】
すなわち、キーワードが入力されると（ステップＢ３）、検索装置２０は、検索結果記憶装置３２内の検索結果に、キーワードと同じ文字列を含むメニュー項目があるかどうかを検索する（ステップＢ４）。その検索結果は検索結果記憶装置３２に保存され（ステップＢ５、ステップＢ６）、表示装置４０に表示される（ステップＢ７、図５（ｂ）の画面４００）。なお、前回の検索結果にキーワードを含むメニュー項目が１件もない場合には（ステップＢ５，Ｎｏ）、ステップＡ１０と同様に「該当なし」というメッセージが表示され（ステップＢ９）、キーワード入力処理に戻る。
【００２３】
このように、２回目以降の検索処理において前回の検索結果からキーワード検索を行うことにより、図５（ｂ）の画面４００に例示したようにキーワードによる絞込み検索を行うことができる。
【００２４】
検索結果が表示されている状態において（ステップＡ７またはＢ７）、メニュー検索ボタン１１を押下せずに（ステップＡ８またはＢ８，Ｎｏ）、図５（ｃ）の画面５００に例示したようにユーザが表示されている検索結果の中から所望のメニュー項目を入力装置１０を用いて選択することにより（ステップＡ９）、選択されたメニュー項目に対応する処理が制御部５０の制御により実行される（ステップＡ１１）。
【００２５】
ステップＢ８においてメニュー検索ボタン１１が押下されると、ステップＢ２及びＢ３を経てさらに再びキーワード検索が行われる（ステップＢ４）。このときの検索が３回目の検索とすると、３回目の検索では、２回目の検索による検索結果を検索対象として検索が行われる。この場合、２回目の検索による検索結果はステップＢ６において１回目の検索による検索結果を上書きして保存される。      
【００２６】
あるいは、３回目の検索において、１回目の検索による検索結果と２回目の検索による検索結果とを検索対象とするようにしてもよい。この場合、２回目の検索による検索結果はステップＢ６において１回目の検索による検索結果と並存するよう保存される。
【００２７】
なお、上述した検索処理において、メニュー検索ボタン１１が所定時間押下（長押し）されると、検索処理が終了するものとする。
【００２８】
以上説明したように本発明の第１の実施例では、携帯端末装置にメニューのキーワード検索機能を設けたので、ユーザは所望のメニュー項目を容易に探し出すことができ、したがって、メニューを探す時間の短縮を図ることができる。
【００２９】
なお、本発明の第１の実施例において、検索結果の各メニュー項目を表示装置４０に一覧表示する際、使用頻度の高い順に並び替えて一覧表示するようにしてもよい。この場合には、メニュー記憶装置３１のメニューリストにおいて各メニュー項目にその使用頻度を対応付けて登録するようにし、制御部５０が検索結果を表示装置４０に表示せしめる際にメニューリストを参照して検索結果の各メニュー項目を使用頻度の高い順に並び替えて一覧表示させることになる。このように、検索結果をユーザの使用頻度の高い順に並び替えることにより、所望のメニュー項目がより探しやすくなる。
【００３０】
また、検索装置２０はキーワード検索を行う際、入力されたキーワードに似た文字列も対象とするあいまい検索を行うようにしてもよい。これにより、メニュー項目名をあいまいに覚えていても所望のメニュー項目を探し出すことができる。
【００３１】
また、メニュー検索の開始／終了をメニュー検索ボタン１１の操作により行うようにしているが、専用ボタンではなく入力装置１０のいくつかのボタンの組み合わせ操作により検索の開始／終了を指示するようにしてもよい。あるいは、表示装置４０に検索の開始／終了のためのアイコンを表示させておき、入力装置１０を用いてアイコンを選択することにより検索の開始／終了を指示するようにしてもよい。
【００３２】
なお、本実施例におけるキーワード検索対象であるメニュー項目は、図５に示されているように、メニュー名称（機能名）であるが、これに限られるものではなく、キーワード検索の対象となりうるものであればよく、例えばメニューの各設定項目も検索対象としてもよい。
【００３３】
次に、本発明の第２の実施例について図面を参照して説明する。図６は本発明の第２の実施例による携帯端末装置の構成を示す図であり、図１と同等部分は同一符号にて示している。
【００３４】
図６に示したように、本発明の第２の実施例による携帯端末装置は、音声入力装置１２と、音声認識装置１３とを有する点で第１の実施例と異なる。音声入力装置１２は、ユーザが音声を入力するための装置である。音声認識装置１３は、予めユーザによりメニュー検索の開始と終了の音声データが登録されているものとし、音声入力装置１２にて入力された音声が登録されているメニュー検索の開始あるいは終了の音声データと一致するか否かを調べる。
【００３５】
すなわち、図２のステップＡ１において、音声認識装置１３が入力された音声が予め登録されているメニュー検索開始の音声データと一致すると判断した場合、図２のステップＡ２以下のメニュー検索処理が開始される。メニュー検索の終了も同様に、入力音声が予め登録されているメニュー検索終了の音声データと一致すると判断されると、検索処理が終了するものとする。
【図面の簡単な説明】
【００３６】
【図１】本発明の第１の実施例による携帯端末装置の構成を示す図である。
【図２】図１の携帯端末装置の動作を示すフローチャートである。
【図３】図１の携帯端末装置の動作を示すフローチャートである。
【図４】（ａ）及び（ｂ）はそれぞれ図１の表示装置の表示画面例を示す図である。
【図５】（ａ）〜（ｃ）はそれぞれ図１の表示装置の表示画面例を示す図である。
【図６】本発明の第２の実施例による携帯端末装置の構成を示す図である。
【符号の説明】
【００３７】
１０    入力装置
１１    メニュー検索ボタン
１２    音声入力装置
１３    音声認識装置
２０    検索装置
３１    メニューリスト記憶装置
３２    検索結果記憶装置
４０    表示装置
５０    制御部
６０    ＲＯＭ
【図１】
2005108056.tif 000003
【図２】
2005108056.tif 000004
【図３】
2005108056.tif 000005
【図４】
2005108056.tif 000006
【図５】
2005108056.tif 000007
【図６】
2005108056.tif 000008